(57)【要約】      （修正有）【課題】エッセンシャルオイルや芳香剤の使用分野において、不意に接触した場合に、瓶体が傾斜し、液体が漏れる不便さを解決する液体揮発手段を提供する。【解決手段】液体揮発手段は、液体貯蔵チャンバー１１０、及び、液体貯蔵チャンバーと連通する香り放出孔を有するケース１００、及び、香り放出部２００を含み、香り放出部は、香り放出孔に穿設され、その素材が浸透可能な素材であり、液体貯蔵チャンバー内の液体は、香り放出部に浸透され、香り放出部における香り放出孔に露出する箇所を介して外部へ揮発する。【選択図】図１
0003231161.tif 000002
【実用新案登録請求の範囲】
【請求項１】
液体貯蔵チャンバー、及び、前記液体貯蔵チャンバーと連通する香り放出孔を有するケースと、
香り放出部と、を含み、
前記香り放出部は、前記香り放出孔に穿設され、その素材が浸透可能な素材であり、
前記液体貯蔵チャンバー内の液体は、前記香り放出部に浸透され、前記香り放出部における前記香り放出孔に露出する箇所を介して外部へ揮発する、ことを特徴とする液体揮発手段。
【請求項２】
前記香り放出部の素材は、木質又は竹質である、ことを特徴とする、請求項１に記載の液体揮発手段。
【請求項３】
前記香り放出部は、第一端が前記香り放出孔に穿設され、第二端が前記ケース内に突き出る、香り放出棒として設置されることを特徴とする、請求項１に記載の液体揮発手段。
【請求項４】
前記香り放出棒は、その第二端が前記液体貯蔵チャンバーのチャンバー壁に当接していることを特徴とする、請求項３に記載の液体揮発手段。
【請求項５】
前記香り放出棒は、その外径が前記香り放出棒の第一端から前記香り放出棒の第二端に沿う方向に次第に小さくなることを特徴とする、請求項３に記載の液体揮発手段。
【請求項６】
前記ケースは、その形状が球状を呈している、ことを特徴とする、請求項１に記載の液体揮発手段。
【請求項７】
前記ケースは、その素材が透明な素材である、ことを特徴とする、請求項１から６のいずれか一つに記載の液体揮発手段。
【請求項８】
前記ケースは、その素材がプラスチック素材又はガラス素材である、ことを特徴とする、請求項７に記載の液体揮発手段。
【請求項９】
前記ケースは、その素材が金属素材である、ことを特徴とする、請求項１に記載の液体揮発手段。
【請求項１０】
本体、及び、請求項１から９のいずれか一つに記載の液体揮発手段を含み、前記本体が充填空間を有しており、前記液体揮発手段が前記充填空間に設けられている、ことを特徴とする家庭用品。
【考案の詳細な説明】
【技術分野】
【０００１】
本考案は、日用品の分野に関し、特に、液体揮発手段及び家庭用品に関する。
【背景技術】
【０００２】
仕事の環境又は生活の環境における空気の品質を改善し、周囲の空気における臭いを取り除くように、例えば、家、オフィスや車運転室などの場所において、エッセンシャルオイルや芳香剤などの揮発性を持っている物質が保存されている瓶状や箱状の容器を置いて、物質の自然揮発性により、空気への改善を期待することは多い。しかしながら、これらの製品は、場所に制限されやすく、瓶状や箱状の容器をなだらかな平面に置くことが必要となる。平面がやや傾斜してしまうと、これらの製品が使用者により不始末に接触された場合に、瓶体が傾斜し、瓶体における液体が外部へ漏れてしまうおそれがあり、使用の際に不便があるという課題が存在している。
【考案の概要】
【考案が解決しようとする課題】
【０００３】
本考案は、従来の液体揮発手段を用いる際に不便があるという課題を解決するように、液体揮発手段を提供することを主な目的とする。
【課題を解決するための手段】
【０００４】
上記の目的を達成するように、本考案が提供する液体揮発手段は、
液体貯蔵チャンバー、及び、前記液体貯蔵チャンバーと連通する香り放出孔を有するケースと、
香り放出部と、を含み、
前記香り放出部は、前記香り放出孔に穿設され、その素材が浸透可能な素材であり、
前記液体貯蔵チャンバー内の液体は、前記香り放出部に浸透され、前記香り放出部における前記香り放出孔に露出する箇所を介して外部へ揮発する。
【０００５】
好ましくは、前記香り放出部の素材は、木質又は竹質である。
【０００６】
好ましくは、前記香り放出部は、第一端が前記香り放出孔に穿設され、第二端が前記ケース内に突き出る、香り放出棒として設置され、及び／又は、前記ケースは、その形状が球状を呈している。
【０００７】
好ましくは、前記香り放出棒の第二端が前記液体貯蔵チャンバーのチャンバー壁と当接している。
【０００８】
好ましくは、前記香り放出棒は、その外径が前記香り放出棒の第一端から前記香り放出棒の第二端に沿う方向に次第に小さくなる。
【０００９】
好ましくは、前記ケースは、その形状が球状を呈している。
【００１０】
好ましくは、前記ケースは、その素材が透明な素材である。
【００１１】
好ましくは、前記ケースは、その素材がプラスチック素材又はガラス素材である。
【００１２】
好ましくは、前記ケースは、その素材が金属素材である。
【００１３】
本考案は、家庭用品をさらに提供しており、本体、及び、液体揮発手段を含み、この液体揮発手段は、液体貯蔵チャンバー及び前記液体貯蔵チャンバーと連通する香り放出孔を有するケースと、香り放出部を含み、前記香り放出部は、前記香り放出孔に穿設され、前記本体が充填空間を有しており、前記液体揮発手段が前記充填空間に設けられている。
【考案の効果】
【００１４】
本考案の技術的手段に係るケースは、液体貯蔵チャンバー及び液体貯蔵チャンバーと連通する香り放出孔を有しており、香り放出孔を介して液体貯蔵チャンバーに空気を改善可能な液体が注がれ、そして、香り放出部がケースの香り放出孔に穿設され、香り放出孔と密封が形成されることにより、液体が香り放出部だけを介して外部へ揮発することになり、そのうち、香り放出部の素材が浸透可能な素材であり、液体は、香り放出部を浸透し香り放出部を介して香り放出孔の箇所に露出して外部へ揮発する。香り放出部の浸透の速さ及び揮発の速さが比較的遅いことから、たとえ液体揮発手段を傾斜したりひっくり返ったりした場合でも、香り放出部における香り放出孔に露出する箇所において、大粒の液体水滴が形成されることにより、液体の漏れが招致されてしまうことが無くなるため、液体揮発手段の実用性が効果的に向上する。
【図面の簡単な説明】
【００１５】
本考案の実施例又は従来技術における技術的手段をより明確に説明するために、以下に、実施例又は従来技術を説明することに必要な図面を簡単に紹介していく。また、以下の説明における図面が本考案の幾つかの実施例に過ぎず、進歩性を有する労働がないことを前提として、これらの図面に示されている構成に基づいて他の図面を取得することが当業者にとって明らかである。
【００１６】
【図１】本考案に係る液体揮発手段の一実施例の構成の模式図である。
【図２】ケースの一実施例の構成の模式図である。
【考案を実施するための形態】
【００１７】
本考案に係る目的の達成、機能性の特徴及び利点については、その実施例を、図面を参照しながら、詳しく説明する。
【００１８】
以下に、本考案の実施例の図面を参照しながら、本考案の実施例の技術的手段を明確に、完全に説明する。もちろん、説明する実施例は本考案の実施例の一部だけに過ぎず、実施例の全体ではない。本考案の実施例に基づいて、進歩性を有する労働がないことを前提としてなされる他の実施例の全ても、本考案が保護しようとする範囲に含まれている。
【００１９】
なお、本考案の実施例において、方向に関連する指向（例えば、上、下、左、右、前、後……）が存在している場合に、この方向による指向が、特定する姿態（例えば、図面に示されているように）で各部件間の相対する位置関係、運動状況などだけを解釈するためのものであり、これらの特定する姿態に変わりが発生した場合に、この方向による指向も、それに伴い、変わるわけである。
【００２０】
また、本考案の実施例における「第一」や「第二」などの記載を考慮すると、当該「第一」や「第二」などの記載が、説明という目的しかに用いられず、相対する重要性を指示したり示唆したり、又は、係る技術特徴の数を暗示的に示すように理解するためのものではない。従って、「第一」や「第二」の特徴が限定されている場合には、少なくとも一つの当該特徴が含まれていると明示したり、又は、暗示したりすることが可能である。また、全文に記載されている「及び／又は」は、並列している三つの手段が含まれていることを意味しており、「Ａ及び／又はＢ」を例として挙げると、Ａ手段、Ｂ手段、並びに、ＡとＢが同時に満たされている手段が含まれているとする。また、各実施例間の技術的手段同士が組み合わせられてもよい。ただし、当業者にとって実現可能ということを前提として、技術的手段の組み合わせに、互いに矛盾又は実現できないことがある場合に、このような技術的手段の組み合わせが存在しておらず、本考案が保護しようとする範囲に含まれていない。
【００２１】
本考案は、液体揮発手段を提供する。
【００２２】
本考案の一実施例では、図１及び図２に示されるように、当該液体揮発手段は、
液体貯蔵チャンバー１１０、及び、前記液体貯蔵チャンバー１１０と連通する香り放出孔１２０を有するケース１００と、
香り放出部２００と、を含み、
前記香り放出部２００は、前記香り放出孔１２０に穿設され、その素材が浸透可能な素材であり、
前記液体貯蔵チャンバー１１０内の液体は、前記香り放出部２００に浸透され、前記香り放出部２００における前記香り放出孔１２０に露出する箇所を介して外部へ揮発する。
【００２３】
本実施例では、液体貯蔵チャンバー１１０は、ケース１００に設けられ、液体を貯蔵するためのものであり、液体は、具体的に限定されていないが、エッセンシャルオイル、芳香剤などの浸透性及び揮発性を有する物質にするとよい。香り放出孔１２０は、注入液体の注ぎ及び液体の揮発を便宜にするように、ケース１００に開設されており、ケース１００内の液体貯蔵チャンバー１１０と連通する。そのうち、香り放出孔１２０の数は、それぞれ複数の香り放出部２００と協調するように、具体的に限定されていないが、複数であってもよい。
【００２４】
香り放出部２００は、香り放出孔１２０に穿設され、液体貯蔵チャンバー１１０内の液体がケース１００の外部へ揮発するようにするためのものである。そのうち、香り放出部２００における香り放出孔１２０と対応する箇所は、香り放出孔１２０の孔壁と貼り合わせて、ケース１００を密封することにより、液体が香り放出部２００と香り放出孔１２０との隙間或いは香り放出部２００の本体のみを介して揮発できる。また、香り放出部２００の素材は、浸透可能な素材である。液体は、香り放出部２００本体内の導管又は隙間を介して香り放出部２００全体に浸透してから、香り放出部２００における香り放出孔１２０に露出する箇所を介してケース１００の外部へ揮発することができる。説明すべきなのは、空気と接触する香り放出部２００の箇所が香り放出部２００の液体揮発部となる。
【００２５】
本考案の技術的手段に係るケース１００は、液体貯蔵チャンバー１１０、及び、液体貯蔵チャンバー１１０と連通する香り放出孔１２０を有し、香り放出孔１２０を介して液体貯蔵チャンバー１１０に空気を改善可能な液体が注がれ、香り放出部２００がケース１００の香り放出孔１２０に穿設され、香り放出孔１２０と密封が形成されることにより、液体が香り放出部２００のみを介して外部へ揮発するようにすることができる。そのうち、香り放出部２００は、その素材が浸透可能な素材である。液体は、香り放出部２００に浸透してから、香り放出部２００における香り放出孔１２０と露出する箇所を介して外部へ揮発する。香り放出部２００の浸透の速さ及び揮発の速さが比較的遅いことから、たとえ液体揮発手段を傾斜したりひっくり返ったりした場合でも、香り放出部２００における香り放出孔１２０に露出する箇所に、大粒の液体水滴が形成されることにより、液体の漏れが招致されてしまうことが無くなるため、液体揮発手段の実用性が効果的に向上する。
【００２６】
さらに、図１及び図２に示される、前記香り放出部２００は、素材が木質又は竹質である。本実施例では、香り放出部２００は、素材が木質又は竹質であり、液体がその本体の植物導管を介して香り放出部２００に浸透される。ここで、解釈すべきなのは、植物における導管が植物に水分や養分を転送するための通路であることから、木質又は竹質に対する液体の浸透の速さが比較的低い。従って、木質又は竹質である香り放出部２００に大粒の液体水滴が形成され液体の漏れが招致されてしまうことが難しいので、香り放出部２００の揮発の速さを効果的に制御し、液体揮発手段の使用時間を長くすることができる。
【００２７】
さらに、図１及び図２に示されているように、前記香り放出部２００は、第一端２１０が前記香り放出孔１２０に穿設され、第二端２２０が前記ケース１００に突き出る香り放出棒として設置される。本実施例では、香り放出部２００は、長尺状の香り放出棒である。香り放出棒は、その第一端２１０が香り放出孔１２０に穿設され、ケース１００を密封する。そのうち、香り放出棒は、その第一端２１０が香り放出孔１２０に突出して設置されてもよいし、香り放出孔１２０に突出せずに設置されてもよいが、香り放出棒は、その第一端２１０が香り放出孔１２０に突出せずに設置されることが好ましい。香り放出棒は、その第一端２１０が香り放出孔１２０に突出して設置されると、液体揮発手段の外面に鋭利な突出が形成されることになる。液体揮発手段が枕やソファーなどの充填物として用いられる際に、この鋭利な突出が利用者を刺しやすいことから、香り放出棒の第一端２１０が香り放出孔１２０に突出せずに設置されると、香り放出棒が利用者を効果的に刺すことを同時に避けると共に、液体揮発手段に安全性を向上させることができる。また、香り放出棒は、その第二端２２０が、第一端２１０から離れる方向に延長するように、ケース１００に突き出ることにより、香り放出棒と液体との間の接触面が拡大されており、液体が比較的少ない場合でも、香り放出棒と液体とを依然として効果的に接触させ、香り放出棒に対する液体の浸透に影響を与えないようにすることができる。
【００２８】
さらに、図１及び図２に示されているように、前記香り放出棒は、第二端２２０が前記液体貯蔵チャンバー１１０のチャンバー壁に当接する。本実施例では、香り放出棒は、第一端２１０が香り放出孔１２０に穿設され、第二端２２０が、第一端２１０から離れる方向に延長し、第二端２２０が液体貯蔵チャンバー１１０のチャンバー壁に当接しない場合に、香り放出棒の第二端２２０が宙に浮く状態にあるため、香り放出棒が外力により押出されると、香り放出棒が液体貯蔵チャンバー１１０に落下し易く、香り放出孔１２０が開放された状態となり、液体が外部へ漏れて汚染が形成されることが易い。従って、香り放出棒の第二端２２０が液体貯蔵チャンバー１１０のチャンバー壁に当接することにより、香り放出棒が外力により押出されても、液体貯蔵チャンバー１１０のチャンバー壁により香り放出棒が液体貯蔵チャンバー１１０内へ移動することを防ぐことができ、香り放出棒が液体貯蔵チャンバー１１０に落入することを効果的に防ぐことができることから、液体揮発手段の実用性を向上させることができる。
【００２９】
さらに、図１及び図２に示されているように、前記香り放出棒は、その外径が前記香り放出棒の第一端から前記香り放出棒の第二端に沿う方向に次第に小さくなる。本実施例では、香り放出棒は、その外径が第一端２１０から第二端２２０まで次第に小さくなることから、利用者がより正確に香り放出棒の第二端２２０を香り放出孔１２０に置くようにすることができ、香り放出棒への利用者の設置をより便宜にすることができる。
【００３０】
さらに、図１及び図２に示されているように、前記ケース１００は、その形状が球状を呈している。本実施例では、液体揮発手段が、枕又はソファーの充填物として用いられてもよい。そして、ケース１００が角張った形状とされると、利用者が枕又はソファーを利用している場合に、このケース１００の角張と利用者との間に力が点状に作用することになり、利用者に違和感を与える恐れがある。一方、ケース１００の形状が球状を呈していると、利用者による使用の際に、ケース１００と利用者との間に力が面状に作用しているため、作用力が分散し、利用者の違和感が無くなり、利用者の気持ちを効果的に良くすることができる。
【００３１】
さらに、図１及び図２に示されているように、前記ケース１００は、その素材が透明な素材である。本実施例では、一つのケース１００における液体貯蔵チャンバー１１０の容量が一定とされているため、液体貯蔵チャンバー１１０に液体を注ぐ際に、多すぎるか少なすぎるかいずれも良くなく、多すぎると液体が漏れとなり、材料が無駄になりやすい。一方、少なすぎると液体貯蔵チャンバー１１０の空間が無駄になりやすい。また、液体揮発手段が使用されている際には、液体貯蔵チャンバー１１０内の液体が段々と減少しているため、液体を使い切った場合に、再度注ぎをしたり、液体揮発手段を交換したりすることが必要となる。ケース１００の素材を透明な素材とすると、液体の注ぎ量、及び、使用量への利用者の観察が易くなり、液体揮発手段の生産と使用とを、より便宜にすることが可能となる。
【００３２】
さらに、図１及び図２に示されているように、前記ケース１００は、その素材がプラスチック素材又はガラス素材である。本実施例では、ケース１００は、その素材が透明の特性を有してもよい。具体的には、透明なプラスチック素材、又は、透明なガラス素材とされてもよい。ケース１００の素材が透明なプラスチック素材である場合には、市場において、プラスチックの製造コストが比較的低く、ある程度でリサイクルが可能であることから、ケース１００の素材を透明なプラスチック素材とすると、液体揮発手段の製造コストを効果的に削減しながら、環境への汚染を抑制することができる。
【００３３】
また、ケース１００は、その素材が透明なガラス素材とされる場合に、ガラス素材が一定の硬度を有していることから、ケース１００も一定の硬度を有している。従って、たとえケース１００に外部から力が掛けられた場合でも、ケース１００が変形してケース１００内の液体が漏れてしまうことが難しくなり、液体揮発手段の実用性を効果的に向上させることができる。
【００３４】
さらに、図１及び図２に示されているように、前記ケース１００は、その素材が金属素材である。本実施例では、金属素材は、他の素材に比べると、より高い硬度を有していることから、たとえケース１００に外部から力が掛かった場合でも、ケース１００に変形したり破損したりすることによりケース１００から液体が漏れてしまうことが難しい。そして、液体揮発手段の実用性を効果的に向上させることができる。
【００３５】
本考案は、家庭用品をさらに提供しており、この家庭用品は、本体及び液体揮発手段を含み、この液体揮発手段に係る具体的な構成について、上記の実施例を参照されたい。本家庭用品には、上記した全ての実施例の技術方案全体が採用されていることから、少なくとも上記した実施例の技術的手段によりなされる有益な効果を有しており、ここで重複しない。また、前記本体は、充填空間を有し、前記液体揮発手段が前記充填空間に設けられている。本実施例では、家庭用品が枕、ソファー、クッション又はマットレスなどとされてもよいが、ここで詳しく限定されていない。
【００３６】
以上に説明したのは、本考案の好ましい実施例に過ぎず、これらにより本考案の保護範囲を限定するものではない。本考案の発明の趣旨において、本考案の明細書及びその図面によりなされた均等置換、又は、他の関連性を有する技術分野を直接や間接に利用してなされたものは、いずれも、本考案による保護範囲に含まれている。
【符号の説明】
【００３７】
１００    ケース
２００    香り放出部
１１０    液体貯蔵チャンバー
２１０    第一端
１２０    香り放出孔
２２０    第二端
【図１】
0003231161.tif 000003
【図２】
0003231161.tif 000004
【手続補正書】
【提出日】令和3年1月8日(2021.1.8)
【手続補正１】
【補正対象書類名】実用新案登録請求の範囲
【補正対象項目名】全文
【補正方法】変更
【補正の内容】
【実用新案登録請求の範囲】
【請求項１】
液体貯蔵チャンバー、及び、前記液体貯蔵チャンバーと連通する香り放出孔を有するケースと、
香り放出部と、を含み、
前記香り放出部は、前記香り放出孔に穿設され、当該香り放出部の素材が浸透可能な素材であり、
前記液体貯蔵チャンバー内の液体は、前記香り放出部に浸透され、前記香り放出部における前記香り放出孔に露出する箇所を介して外部へ揮発する、ことを特徴とする液体揮発手段。
【請求項２】
前記香り放出部の素材は、木質又は竹質である、ことを特徴とする、請求項１に記載の液体揮発手段。
【請求項３】
前記香り放出部は、第一端が前記香り放出孔に穿設され、第二端が前記ケース内に突き出る、香り放出棒として設置されることを特徴とする、請求項１に記載の液体揮発手段。
【請求項４】
前記香り放出棒は、その第二端が前記液体貯蔵チャンバーのチャンバー壁に当接していることを特徴とする、請求項３に記載の液体揮発手段。
【請求項５】
前記香り放出棒は、その外径が前記香り放出棒の第一端から前記香り放出棒の第二端に沿う方向に次第に小さくなることを特徴とする、請求項３に記載の液体揮発手段。
【請求項６】
前記ケースは、その形状が球状を呈している、ことを特徴とする、請求項１に記載の液体揮発手段。
【請求項７】
前記ケースは、その素材が透明な素材である、ことを特徴とする、請求項１から６のいずれか一つに記載の液体揮発手段。
【請求項８】
前記ケースは、その素材がプラスチック素材又はガラス素材である、ことを特徴とする、請求項７に記載の液体揮発手段。
【請求項９】
前記ケースは、その素材が金属素材である、ことを特徴とする、請求項１に記載の液体揮発手段。
【請求項１０】
本体、及び、請求項１から９のいずれか一つに記載の液体揮発手段を含み、前記本体が充填空間を有しており、前記液体揮発手段が前記充填空間に設けられている、ことを特徴とする家庭用品。